(57)【要約】【課題】  電話又は電話端末の使用中に強制的に電話回線に割り込ませ、混信することなく所定の通信を行なうことにある。【解決手段】  この装置は電話回線Ｌ１，Ｌ２に接続され、電話又は電話端末側の第１接続回線ＪＡ１，ＪＡ２と、強制割込み側の第２接続回線ＪＢ１，ＪＢ２を有する。第１接続回線ＪＡ１，ＪＡ２には電子スイッチ２が直列に接続され、第２接続回線ＪＢ１，ＪＢ２側には制御回路４が設けられる。制御回路４は、第２接続回線が閉結すると、閉結感知電流より低い電流値領域の制御信号で電子スイッチ２を制御して第１接続回線を電話回線から遮断する。ここで電子タイマ１０が作動し、一定時間経過すると制御信号を閉結感知電流以上の電流値に切り換える。これにより電子スイッチ２を制御して第１接続回線の遮断を継続しつつ、電話回線を閉結させて第２接続回線を電話回線に接続する。【選択図】図２
2008054266.tif 000002
【特許請求の範囲】
【請求項１】
電話又は電話端末の接続が可能な電話回線又はＩＰ電話回線におけるターミナルアダプタの電話端末接続口からなる電話回線に接続され、
電話又は電話端末に接続する第１接続回線と、強制割込み側の第２接続回線を有し、
前記第１接続回線に直列に接続された電子スイッチと、
前記第２接続回線が閉結する直前から閉結までの間に前記電話回線における閉結感知電流より低い電流値領域の制御信号で前記電子スイッチを制御して前記第１接続回線を遮断し、前記制御信号を前記閉結感知電流以上に切り換えて前記第１接続回線の遮断を継続すると共に前記電話回線を閉結させて前記第２接続回線を前記電話回線に接続させる制御回路と、を具備することを特徴とする電話回線強制割込み装置。
【請求項２】
前記第２接続回線の閉結に向かって一定時間経過すると前記制御回路の制御信号を前記閉結感知電流以上に切り換える電子タイマを具備することを特徴とする請求項１記載の電話回線強制割込み装置。
【請求項３】
前記電子タイマは前記制御信号の電流値を切り換える切換スイッチを有し、該切換スイッチがサイリスタからなることを特徴とする請求項１又は２記載の電話回線強制割込み装置。
【請求項４】
前記制御回路は、前記電子スイッチを制御するスイッチ制御回路と、前記第２接続回線内の制御信号の電流値を制御する電流制御回路とを有することを特徴とする請求項１乃至３のひとつに記載の電話回線強制割込み装置。
【請求項５】
前記電流制御回路は、前記制御信号の電流値を前記閉結感知電流より低い電流値領域に設定する第１の抵抗と、
前記第２接続回線が閉結する以前に前記第１接続回線を開くために前記第２接続回線で前記制御信号の電流が不足するのを補充するコンデンサと、
前記制御信号の電流値を閉結感知電流以上の電流値領域に設定する第２の抵抗と、を備えていることを特徴とする請求項４記載の電話回線強制割込み装置。
【発明の詳細な説明】
【技術分野】
【０００１】  本発明は、アナログ電話又はアナログ電話端末の接続が可能なアナログ電話回線、又はＩＰ電話回線におけるターミナルアダプタのアナログ電話端末接続口からなるアナログ電話回線に、複数の電話又は電話端末あるいはその他の装置を接続したときに、使用中の電話等に代えて特定の電話等を強制的に割込み可能とする電話回線強制割込み装置に関するものである。特に、本発明は、デジタルハイビジョン放送番組内で行なわれる双方向通信における視聴者側から放送局へのアクセス手段として電話回線を使用するときに、双方向通信を最優先させて電話回線に接続することで限られた受付時間内にアクセスすることを可能にするものである。
【背景技術】
【０００２】  近年、デジタルハイビジョン放送が開始され、双方向通信により視聴者側から放送局にアクセスすることが可能となっている。そのアクセス手段として電話回線を使用する場合、その電話回線に二股のアタッチメントを取り付け、一方の接続口に電話又は電話端末を接続し、他方の接続口にデジタルハイビジョンテレビを接続することが一般的に行なわれている。【０００３】  しかしながら、上記のようなアタッチメントを使用した場合には、電話又は電話端末により通信しているときにデジタルハイビジョンテレビにより双方向通信を行なうと、電話又は電話端末とデジタルハイビジョンテレビが並列接続となって混信してしまうことがある。このような混信が生じると、一方通話あるいは中途通信不能等になって放送局にアクセスすることができなくなり、テレビ画面等にアクセスが失敗したことが表示されることになる。このため、番組内で設定された短い受付時間内に通信を行なうことができなくなり、双方向通信のメリットを活かすことができなくなることがあった。
【発明の開示】
【発明が解決しようとする課題】
【０００４】  本発明が解決しようとする課題は、上記従来技術の問題点を解決し、電話又は電話端末を使用しているときであっても強制的に電話回線に割り込ませ、通話又は通信中の回線を遮断し、回線を短時間開いた後再び強制割込み側が回線を閉じることで混信することなく所定の通信を行なうことを可能にすることにある。
【課題を解決するための手段】
【０００５】  本発明の電話回線強制割込み装置は、電話又は電話端末の接続が可能な電話回線又はＩＰ電話回線におけるターミナルアダプタの電話端末接続口からなる電話回線に接続され、電話又は電話端末に接続する第１接続回線と、強制割込み側の第２接続回線を有し、前記第１接続回線に直列に接続された電子スイッチと、前記第２接続回線が閉結する直前から閉結までの間に前記電話回線における閉結感知電流より低い電流値領域の制御信号で前記電子スイッチを制御して前記第１接続回線を遮断し、前記制御信号を前記閉結感知電流以上に切り換えて前記第１接続回線の遮断を継続すると共に前記電話回線を閉結させて前記第２接続回線を前記電話回線に接続させる制御回路と、を具備するものである。この電話回線強制割込み装置には、前記第２接続回線の閉結に向かって一定時間経過すると前記制御回路の制御信号を前記閉結感知電流以上に切り換える電子タイマが設けられている。また、前記電子タイマは前記制御信号の電流値を切り換えるスイッチを有し、該スイッチがサイリスタからなるものである。また、前記制御回路は、前記電子スイッチを制御するスイッチ制御回路と、前記第２接続回線内の制御信号の電流値を制御する電流制御回路とを有している。また、前記電流制御回路は、前記制御信号の電流値を前記閉結感知電流より低い電流値領域に設定する第１の抵抗と、前記第２接続回線が閉結する以前に前記第１接続回線を開くために前記第２接続回線で制御信号の電流が不足するのを補充するコンデンサと、前記制御信号の電流値を閉結感知電流以上の電流値領域に設定する第２の抵抗と、を備えている。
【発明の効果】
【０００６】  本発明の電話回線強制割込み装置においては、第１接続回線に直列に接続された電子スイッチを、第２接続回線側の制御回路で制御することにより、第１接続回線を遮断し、第２接続回線を電話回線に接続可能としている。これにより、第１接続回線に接続した電話又は電話端末の使用中であっても、第２接続回線に接続したデジタルハイビジョンテレビを強制割込みさせて通信を行なうことができる。【０００７】  特に、本発明における制御回路は、第２接続回路が閉結すると、電話交換局網における閉結感知電流より低い電流値領域の制御信号で電子スイッチを制御している。このため、電子スイッチにより第１接続回線を遮断した時点では第２接続回線が電話交換局網において閉結されず、第２接続回線が電話回線に第１接続回線の相手を遮断する時間、タイマにより経過した後に第２接続回線を閉じて閉結を行なうので、接続されることはない。これにより、第１接続回線の遮断時に使用中であった電話又は電話端末に対する通話又は通話相手がオフフック状態を維持していたとしても、その通話又は通信相手に第２接続回線を接続してしまうことを防ぐことができる。【０００８】  また、本発明においては、第１接続回線を遮断してから電話交換局における終話切断の弁別時間が経過するまでの一定時間経過すると、制御信号を閉結感知電流以上の電流値に切り換える電子タイマを設けている。これにより、弁別時間が経過して通話又は通信相手が電話交換局にて切断又は保留された後、第２接続回線の閉結が電話交換局にて感知され、第２接続回線の閉結を完了することになり、確実に希望する接続先に第２接続回線を接続することができる。
【発明を実施するための最良の形態】
【０００９】  本発明の電話回線強制割込み装置は、電話又は電話端末の接続が可能な電話回線又はＩＰ電話回線におけるターミナルアダプタの電話端末接続口からなる電話回線に接続されるものである。また、この装置には、電話又は電話端末に接続する第１接続回線と、強制割込み側の第２接続回線が設けられている。第１接続回線には電子スイッチが直列に接続され、第２接続回線側には制御回路が設けられている。この制御回路は、第２接続回線が閉結すると、電話回線における閉結感知電流より低い電流値領域の制御信号で電子スイッチを制御して第１接続回線を電話回線から遮断する。このときに、第２接続回線側に設けた電子タイマが作動し、電話交換局における終話切断の弁別時間に相当する一定時間経過すると、制御信号を閉結感知電流以上の電流値に切り換える。これにより、電子スイッチを制御して第１接続回線の遮断を継続しつつ、電話回線を閉結させて第２接続回線を電話回線に接続している。【００１０】  この電話回線強制割込み装置を用いることで、電話又は電話端末とデジタルハイビジョンテレビを接続し、第１接続回線の通話又は通信中に双方向通信を割り込ませて、確実に双方向通信を行なうことが可能となる。
【実施例１】
【００１１】  図１は本発明の電話回線強制割込み装置における制御信号の電流値領域を示す説明図、図２は本発明の電話回線強制割込み装置の構成を示すブロック図、図３は図２に示す電話回線強制割込み装置の実施例１に係る回路図である。【００１２】  はじめに、図１及び図２に基づいて電話回線強制割込み装置の構成及び動作の概要を説明する。本発明の電話回線強制割込み装置は、電話回線Ｌ１，Ｌ２に接続される。この電話回線Ｌ１，Ｌ２は、アナログ電話又はアナログ電話端末の接続が可能なアナログ電話回線からなるものであるか、または、ＩＰ電話回線におけるターミナルアダプタのアナログ電話端末接続口で構成されるアナログ電話回線からなるものである。また、本発明の電話回線強制割込み装置には、電話又は電話端末に接続する第１接続回線ＪＡ１，ＪＡ２と、双方向通信が可能なデジタルハイビジョンテレビ等に接続する第２接続回線ＪＢ１，ＪＢ２が設けられている。この第１接続回線ＪＡ１，ＪＡ２と第２接続回線ＪＢ１，ＪＢ２は、それぞれダイオードブリッジＤＢ１，ＤＢ２を介して電話回線Ｌ１，Ｌ２に接続されている。このダイオードブリッジＤＢ１，ＤＢ２は、ベル鳴動時に電話回線Ｌ１，Ｌ２の直流の極性が反転するので、極性を揃えるために設けられている。尚、極性を揃える必要がない場合にはダイオードブリッジを設ける必要はない。【００１３】  ２は電子スイッチであり、ダイオードブリッジＤＢ１を介して第１接続回線ＪＡ１，ＪＡ２に直列に接続されている。従って、この電子スイッチ２をオン・オフすることにより、第１接続回線ＪＡ１，ＪＡ２を電話回線Ｌ１，Ｌ２に接続・遮断することができる。【００１４】  ４は第２接続回線ＪＢ１，ＪＢ２側のダイオードブリッジＤＢ２を介した回路ループ内に設けられた制御回路である。この制御回路４には、電子スイッチ２を制御するスイッチ制御回路６と、このスイッチ制御回路６等を含む第２接続回線ＪＢ１，ＪＢ２側のダイオードブリッジＤＢ２を介した回路ループ内を流れる制御信号の電流値を制御する電流制御回路８が設けられている。通常、電話回線に接続された電話等がオフフックされて閉結すると、その際に回線内に流れる電流を通信事業者の電話交換局が感知し、その電話回線を閉結して通話又は通信を可能にする。このように電話等がオフフックされて閉結したときの電流値は法にて直流１５ｍＡ以上と規定されており、この電流が閉結感知電流として電話交換局にて感知するように設定されている。上記電流制御回路８は、この閉結感知電流より低い電流値領域に制御信号の電流値を設定する抵抗Ｒ２と、閉結感知電流以上の電流値領域に制御信号の電流値を設定する抵抗Ｒ３と、抵抗Ｒ２により設定される制御信号の電流を一時的に補助するコンデンサＣ１と、を備えている。【００１５】１０は電子タイマであり、デジタルハイビジョンテレビ等によって第２接続回線ＪＢ１，ＪＢ２が閉結すると作動し、一定時間経過すると電流制御回路８の抵抗Ｒ３を第２接続回線ＪＢ１，ＪＢ２側のダイオードブリッジＤＢ２を介した回路ループに接続するものである。この電子タイマ１０が作動してから抵抗Ｒ３を接続するまでのタイマー時間は、通信事業者がキャッチホーン等のサービスを行なう���に設定している電話交換局における終話切断の弁別時間２．２秒以上に設定されている。【００１６】  次に、図２に示す電話回線強制割込み装置の動作を図１に基づいて説明する。通常、電子スイッチ２はオン状態になっており、第１接続回線ＪＡ１，ＪＡ２に接続された電話又は電話端末が使用可能となっている。今、電話又は電話端末が使用されているときに、双方向通信を行なうため第２接続回線ＪＢ１，ＪＢ２に接続したデジタルハイビジョンテレビ等が閉結されると、第１接続回線ＪＡ１，ＪＡ２に接続された電話又は電話端末が閉結状態にあれば電話回線Ｌ１，Ｌ２の回線電圧が低く第２接続回線の制御信号の電流はコンデンサＣ１の補助で第１接続回線を開く動作が図１に示してあり、突出電流時間は電話交換局が感知できない時間となるようにコンデンサＣ１の容量が設定してある。この第２接続回線ＪＢ１，ＪＢ２の閉結によって電話回線Ｌ１，Ｌ２からダイオードブリッジＤＢ２を介してスイッチ制御回路６、電流制御回路８および電子タイマ１０に電力が供給される。これにより、スイッチ制御回路６は電子スイッチ２をオフ状態にして第１接続回線ＪＡ１，ＪＡ２側のダイオードブリッジＤＢ１を介した回路ループを開き、第１接続回線ＪＡ１，ＪＡ２に接続された電話又は電話端末を電話回線Ｌ１，Ｌ２から遮断する。また、このときに電子スイッチ１０は作動し、一定時間経過するまで初期状態（抵抗Ｒ３を接続しない状態）を保持する。【００１７】  また、電流制御回路８は、互いに並列となる抵抗Ｒ２とコンデンサＣ１が初期状態において第２接続回線ＪＢ１，ＪＢ２側のダイオードブリッジＤＢ２を介した回路ループ内に接続され、抵抗Ｒ２によってこの回路ループ内の制御信号の電流値を閉結感知電流１５ｍＡより低い値に制限すると共に、コンデンサＣ１の充電電流を放電することで制御信号を補充する。このように制御信号の電流値を１５ｍＡより低く制限することにより、電話回線Ｌ１，Ｌ２を介してその電流値を計測している電話交換局では、閉結したことを感知しないため、この時点では電話回線Ｌ１，Ｌ２を閉結しないことになる。これにより、第１接続回線ＪＡ１，ＪＡ２側の電話又は電話端末に対する通話又は通信相手がこの時点でオフフックし続けていたとしても、この相手に第２接続回線ＪＢ１，ＪＢ２が接続されることはない。【００１８】  一方、この電流制御回路８に電力が供給されるときには、第１接続回線ＪＡ１，ＪＡ２側の電話又は電話端末が使用されていたことにより、電話回線Ｌ１，Ｌ２の回線電圧が電話交換局において通話中の低い電圧に下げられているため、スイッチ制御回路６を作動させる電流が得られなくなる場合がある。このような回線電圧の低下は、第１接続回線ＪＡ１，ＪＡ２を遮断して回路ループを開くことで高められて解消するので、スイッチ制御回路６を作動させることさえできれば、その後は回線電圧で充分制御信号を１５ｍＡより低い所定の電流値領域に維持することが可能となる。このため、本発明においては、コンデンサＣ１を設け、第２接続回線ＪＢ１，ＪＢ２が閉結されたときに、コンデンサＣ１の充電電流で制御信号を補充し、一時的に回路ループ内の電力を補うことでスイッチ制御回路６が確実に動作するよう���構成している。【００１９】  上記のようにスイッチ制御回路６が電子スイッチ２をオフ状態にした後、弁別時間２．２秒以上の一定時間が経過すると、電子タイマ１０によって抵抗Ｒ３が抵抗Ｒ２に並列になるように接続される。これによって、抵抗Ｒ３を介して制御信号が流れることになり、その電流値は閉結感知電流１５ｍＡ以上の電流領域に設定される。このように制御信号が１５ｍＡ以上になると、電話交換局はそれを感知して閉結し、第２接続回線ＪＢ１，ＪＢ２がダイオードブリッジＤＢ２を介して電話回線Ｌ１，Ｌ２に接続され、デジタルハイビジョンテレビ等による双方向通信が可能となる。尚、このときに制御信号の電流値は変わるが信号自体は維持されているため、スイッチ制御回路６により電子スイッチ２はオフ状態に保持され、第１接続回線ＪＡ１，ＪＡ２を遮断し続けることになる。【００２０】  次に、図３を用いて図２に示す電話回線強制割込み装置のより具体的な回路構成を説明する。第１接続回線ＪＡ１，ＪＡ２側のダイオードブリッジＤＢ１を介した回路ループは次のように構成されている。電話回線Ｌ１と第１接続回線ＪＡ１との間に設けられたダイオードブリッジＤＢ１の出力正側と負側の間には、抵抗Ｒ１、トランジスタＱ１のベース及びフォトカプラの受光素子ＰＣ２が接続されており、トランジスタＱ１にベースバイアス変動を与えている。このトランジスタＱ１にはトランジスタＱ２がダーリントン接続されており、このトランジスタＱ２のコレクタ・エミッタがダイオードブリッジＤＢ１の出力端に接続されて、その正側から負側への回路ループを構成している。また、ダイオードブリッジＤＢ１の出力正側とトランジスタＱ２のコレクタとの間には、ツェナーダイオード、抵抗、発光素子等からなる使用状態表示用の発光回路１２が設けられている。尚、この回路ループ中の抵抗Ｒ１、トランジスタＱ１，Ｑ２が前述した電子スイッチ２を構成している。【００２１】  また、第２接続回線ＪＢ１，ＪＢ２側のダイオードブリッジＤＢ２を介した回路ループは次のように構成されている。電話回線Ｌ１と第２接続回線ＪＢ１との間に設けられたダイオードブリッジＤＢ２の出力正側と負側の間には、フォトカプラの発光素子ＰＣ１、抵抗Ｒ２が直列に接続され、抵抗Ｒ２に並列になるようにコンデンサＣ１が接続されており、更に発光素子ＰＣ１と抵抗Ｒ２との間と後述するトランジスタＱ３のコレクタとの間に抵抗Ｒ３が設けられている。また、ダイオードブリッジＤＢ２の出力正側と負側の間には抵抗Ｒ５とコンデンサＣ２が直列に接続されており、この抵抗Ｒ５とコンデンサＣ２の間から抵抗Ｒ４を介してベースが接続されたトランジスタＱ３のコレクタ・エミッタもダイオードブリッジＤＢ２に接続されている。また、ダイオードブリッジＤＢ２の出力正側とトランジスタＱ３のコレクタとの間には、発光回路１２と同様の発光回路１４が設けられている。尚、この回路ループ中の抵抗Ｒ５，Ｒ４、コンデンサＣ２及びトランジスタＱ３が前述した電子タイマ１０を構成している。また、発光素子ＰＣ１と受光素子ＰＣ２を有するフォトカプラがスイッチ制御回路６を構成している。【００２２】  上記回路構成からなる本実施例の装置において、第１接続回線ＪＡ��，ＪＡ２に接続された電話又は電話端末が使用中であると、トランジスタＱ１，Ｑ２がオン状態になって回路ループが閉結して通話又は通信状態になっている。また、発光回路１２に電流が流れて点灯し、使用中であることが表示されている。ここで第２接続回線ＪＢ１，ＪＢ２に接続されたデジタルハイビジョンテレビ等が双方向通信のために閉結されると、ダイオードブリッジＤＢ２側の回路ループが閉結され、これにより回路ループ内に電流が流れる。このときに流れる電流とコンデンサＣ１により補充される電流によってフォトカプラの発光素子ＰＣ１が発光し、受光素子ＰＣ２がこの光に応答してトランジスタＱ１のベースバイアスをカットする。この結果、第１接続回線ＪＡ１，ＪＡ２側の回路ループはトランジスタＱ１，Ｑ２により開かれて、電話又は電話端末が遮断される。このように第１接続回線ＪＡ１，ＪＡ２側が遮断されることで電話回線Ｌ１，Ｌ２の回線電圧が上昇するため、コンデンサＣ１で補助しなくても発光素子ＰＣ１を発光させる電流を得ることができる。【００２３】  また、ダイオードブリッジＤＢ２側の回路ループに電流が流れると、抵抗Ｒ２によってその電流値が１５ｍＡより低く制限され、この時点では電話交換局において閉結が感知されない。また、このときに、抵抗Ｒ５を介してコンデンサＣ２が充電され、２．２秒以上に設定された一定時間経過するとコンデンサＣ２が所定電圧に充電される。これによりトランジスタＱ３のベースバイアスが高まり、トランジスタＱ３がオン状態になる。この結果、発光素子ＰＣ１から抵抗Ｒ３及びトランジスタＱ３を通って電流が流れるようになり、電流は抵抗Ｒ３と発光回路１４の並列接続によって１５ｍＡ以上の電流値に設定される。このようにダイオードブリッジＤＢ２側の回路ループ内の電流が１５ｍＡ以上になると、この電流を電話交換局にて閉結を感知して回線に接続する。これにより、第２接続回線ＪＢ１，ＪＢ２と電話回線Ｌ１，Ｌ２との接続が完了し、双方向通信が可能となる。この状態において、回路ループ内の電流は抵抗Ｒ３及びトランジスタＱ３を介して発光素子ＰＣ１及び発光回路１４に継続して流れるので、第１接続回線の遮断は保持され、また使用状態を示す発光回路１４が点灯することになる。【００２４】  一般に、放送局とのアクセスに要する双方向通信は十数秒程度であり、通信が終了すると第２接続回線ＪＢ１，ＪＢ２に接続されたデジタルハイビジョンテレビ等が閉結を開き、これによってダイオードブリッジＤＢ２側の回路ループが開くことにより電流が停止して、発光素子ＰＣ１が消灯する。これに受光素子ＰＣ２が応答してトランジスタＱ１，Ｑ２がオン状態になり、再びダイオードブリッジＤＢ１側の回路ループが形成され、第１接続回線ＪＡ１，ＪＡ２が通話又は通信可能な待機状態にもどる。【００２５】  上記のように、電話又は電話端末が使用中であっても、双方向通信を混信することなく強制的に割り込ませて通信を行なうことができる。
【実施例２】
【００２６】  図４は図２に示す電話回線強制割込み装置の実施例２に係る回路図である。本実施例における装置は、図３に示す実施例１とほぼ同じ回路構成となっており、実施例１におけるトランジスタＱ３をＳＣＲタイプのサイリスタＳＣＲに代えた点のみが異なるものとなっている。即ち、第１接続回線ＪＡ１，ＪＡ２側のダイオードブリッジＤＢ１の出力正側と負側の間に設けられた回路ループ内には、抵抗Ｒ１及びフォトカプラの受光素子ＰＣ２がベースに接続されたトランジスタＱ１とそれにダーリントン接続されたトランジスタＱ２と、トランジスタＱ２とダイオードブリッジＤＢ１の出力正側との間に接続された発光回路１２が設けられている。また、第２接続回線ＪＢ１，ＪＢ２側のダイオードブリッジＤＢ２の出力正側と負側の間に設けられた回路ループ内には、電流を１５ｍＡより低く制限する抵抗Ｒ２と、当初の電流を補充するコンデンサＣ１と、電流を１５ｍＡ以上に設定する抵抗Ｒ３と、この抵抗Ｒ３と発光回路１４の接続・切断を行なうサイリスタＳＣＲと、抵抗Ｒ２，Ｒ３及びコンデンサＣ１に接続されたフォトカプラの発光素子ＰＣ１と、タイマー時間を設定する抵抗Ｒ５およびコンデンサＣ２と、この抵抗Ｒ５とコンデンサＣ２の間に接続されてサイリスタＳＣＲのゲートにトリガーを加える抵抗Ｒ４が設けられている。【００２７】  本実施例においては、第２接続回線ＪＢ１，ＪＢ２に接続されたデジタルハイビジョンテレビ等が開始してダイオードブリッジＤＢ２側の回路ループに電流が流れ、発光素子ＰＣ１が点灯して受光素子ＰＣ２により第１接続回線ＪＡ１，ＪＡ２が電話回線Ｌ１，Ｌ２から遮断され、更に一定時間経過してコンデンサＣ２の充電電圧が高まって一定値に達すると、サイリスタＳＣＲがトリガーされて導通する。サイリスタＳＣＲの場合には、トランジスタＱ３のようにゲート電圧が高まるにつれて抵抗値が徐々に下がって導通することがなく、瞬時に導通する。このように、トランジスタＱ３を用いると抵抗Ｒ３に流れる電流が徐々に増加することによってわずかではあるが第２接続回線ＪＢ１，ＪＢ２に接続した通話装置の通信音が徐々に大きくなることが感受されることがあるが、サイリスタＳＣＲを用いることで完全に解消することができる。【００２８】  尚、図３及び図４に示すフォトカプラは、フォトモスリレーに置き換えることが可能であり、この場合には、フォトモスリレーのフォトダイオードに通電されていないときにフォトモスリレーの電子スイッチがメークする品種のものを選定して設置する。
【産業上の利用可能性】
【００２９】  本発明の電話回線強制割込み装置は、実施例に示したように、電話等に対して短時間通信を行なう双方向通信を一時的に強制割込みさせる際に有効なものであるが、この他、電話や通常の通信に対して、緊急を要する通信を強制的に割り込ませて通報する場合にも利用することができる。
【図面の簡単な説明】
【００３０】
【図１】  本発明の電話回線強制割込み装置における制御信号の電流値領域を示す説明図である。
【図２】  本発明の電話回線強制割込み装置の構成を示すブロック図である。
【図３】  図２に示す電話回線強制割込み装置の実施例１に係る回路図である。
【図４】  図２に示す電話回線強制割込み装置の実施例２に係る回路図である。
【符号の説明】
【００３１】２    電子スイッチ
４    制御回路
６    スイッチ制御回路
８    電流制御回路
１０  電子タイマ
１２，１４  発光回路
Ｌ１，Ｌ２  電話回線
ＪＡ１，ＪＡ２  第１接続回線
ＪＢ１，ＪＢ２  第２接続回線
Ｒ１〜Ｒ５  抵抗
Ｑ１〜Ｑ３  トランジスタ
Ｃ１，Ｃ２  コンデンサ
ＰＣ１  発光素子
ＰＣ２  受光素子
ＤＢ１，ＤＢ２  ダイオードブリッジ
ＳＣＲ  サイリスタ
【図１】
2008054266.tif 000003
【図２】
2008054266.tif 000004
【図３】
2008054266.tif 000005
【図４】
2008054266.tif 000006